(57)【特許請求の範囲】
【請求項１】
表示面から放射される角度に応じて異なる画像を表示する表示部と、
撮像条件を編集するための編集画面が複数存在する場合に、異なる編集画面が前記角度に応じて表示されるように画像データ群を生成し、前記表示部に対する該画像データ群の表示を制御する表示制御部と、
前記表示部に表示された編集画面上で、該編集画面に含まれるパラメータに対するパラメータ値の設定指示を受け付ける受付部と、
を備え、
前記表示制御部は、前記表示部に表示中の第１の編集画面に含まれるパラメータに対するパラメータ値の設定指示が前記受付部によって受け付けられると、該パラメータ値の設定により影響を受ける他のパラメータを含む第２の編集画面を特定し、前記表示中の第１の編集画面の他に表示中の編集画面を前記第２の編集画面で置き換えて、前記画像データ群を生成する、
医用画像診断装置。
【請求項２】
前記表示部を観察する観察者の視点位置を検出する検出部を更に備え、
前記受付部は、前記検出部によって検出された視点位置に基づいて、前記表示部に表示中の複数の編集画面の中からパラメータ値の設定指示を受け付ける編集画面を特定し、受け付けた設定指示を、特定した該編集画面に含まれるパラメータに対する設定指示として受け付けることを特徴とする請求項１に記載の医用画像診断装置。
【請求項３】
表示面から放射される角度に応じて異なる画像を表示する表示部と、
撮像条件を編集するための編集画面が複数存在する場合に、異なる編集画面が前記角度に応じて表示されるように画像データ群を生成し、前記表示部に対する該画像データ群の表示を制御する表示制御部と、
前記表示部に表示された編集画面上で、該編集画面に含まれるパラメータに対するパラメータ値の設定指示を受け付ける受付部と、
を備え、
前記表示制御部は、前記表示部に表示中の第１の編集画面に含まれるパラメータに対するパラメータ値の設定指示が前記受付部によって受け付けられると、該パラメータ値の設定により影響を受ける他のパラメータを含む第２の編集画面を特定し、前記表示中の第１の編集画面の他に表示中の編集画面を前記第２の編集画面で置き換えて、前記画像データ群を生成する、
磁気共鳴イメージング装置。
【発明の詳細な説明】
【技術分野】
【０００１】
本発明の実施形態は、医用画像診断装置及び画像処理装置に関する。
【背景技術】
【０００２】
一般に、医用画像診断装置は、操作者が操作するためのコンソール（console）を備え、操作者は、コンソールに表示された操作画面を操作することで、医用画像診断装置を操作する。例えば、磁気共鳴イメージング装置（以下、ＭＲＩ（Magnetic  Resonance  Imaging）装置）の場合、操作者は、コンソールに表示された撮像条件編集画面（以下、編集画面）上で撮像条件を編集する。
【０００３】
ここで、コンソールには、用途に応じた複数の操作画面が表示される場合が多くある。例えばＭＲＩ装置の場合、撮像条件には多数のパラメータが含まれるが、この多数のパラメータを１つの編集画面に一度に表示しようとすると、操作者による視認性が低下する。このため、従来のＭＲＩ装置は、多数のパラメータを複数の編集画面に分類し、編集対象の編集画面を最前面に表示する。この場合、操作者は、例えば、編集画面に付されたタブを選択することで、コンソールの最前面に表示される編集画面を切り替えながら、パラメータ値の設定を行う。
【０００４】
このように、医用画像診断装置は、操作対象の操作画面を最前面に表示し、操作者の操作により最前面の操作画面を切り替えることで、操作の効率化を図っている。なお、医用画像診断装置が備えるコンソールに限らず、ワークステーションなども同様に、操作対象の操作画面を最前面に表示し、操作者の操作により最前面の操作画面を切り替えることで、操作の効率化を図っている。
【先行技術文献】
【特許文献】
【０００５】
【特許文献１】特開２００６−２５５１８９号公報
【発明の概要】
【発明が解決しようとする課題】
【０００６】
本発明が解決しようとする課題は、操作画面を適切に表示することができる医用画像診断装置及び画像処理装置を提供することである。
【課題を解決するための手段】
【０００７】
実施形態に係る医用画像診断装置は、表示部と、表示制御部と、受付部とを備える。前記表示部は、表示面から放射される角度に応じて異なる画像を表示する。前記表示制御部は、撮像条件を編集するための編集画面が複数存在する場合に、異なる編集画面が前記角度に応じて表示されるように画像データ群を生成し、前記表示部に対する該画像データ群の表示を制御する。前記受付部は、前記表示部に表示された編集画面上で、該編集画面に含まれるパラメータに対するパラメータ値の設定指示を受け付ける。前記表示制御部は、前記表示部に表示中の第１の編集画面に含まれるパラメータに対するパラメータ値の設定指示が前記受付部によって受け付けられると、該パラメータ値の設定により影響を受ける他のパラメータを含む第２の編集画面を特定し、前記表示中の第１の編集画面の他に表示中の編集画面を前記第２の編集画面で置き換えて、前記画像データ群を生成する。
【図面の簡単な説明】
【０００８】
【図１】図１は、実施形態に係る医用画像診断装置の構成を説明するための図である。
【図２】図２は、実施形態に係る表示部を説明するための図である。
【図３】図３は、実施形態に係る編集画面を説明するための図である。
【図４】図４は、実施形態に係る編集画面の表示制御を説明するための図である。
【図５】図５は、実施形態に係る制御部の構成を説明するための図である。
【図６】図６は、実施形態に係る表示制御の処理手順を説明するための図である。
【図７】図７は、その他の実施形態に係る編集画面の表示制御を説明するための図である。
【発明を実施するための形態】
【０００９】
以下、医用画像診断装置及び画像処理装置の実施形態を説明する。図１は、実施形態に係る医用画像診断装置の構成を説明するための図である。図１に示すように、実施形態に係る医用画像診断装置は、ＭＲＩ装置１００である。
【００１０】
静磁場磁石１は、中空の円筒形状に形成され、内部の空間に一様な静磁場を発生する。静磁場磁石１は、例えば、永久磁石、超伝導磁石などである。傾斜磁場コイル２は、中空の円筒形状に形成され、内部の空間に傾斜磁場を発生する。具体的には、傾斜磁場コイル２は、静磁場磁石１の内側に配置され、傾斜磁場電源３から電流の供給を受けて、傾斜磁場を発生する。傾斜磁場電源３は、シーケンス制御部１０から送信される制御信号に従って、傾斜磁場コイル２に電流を供給する。
【００１１】
寝台４は、被検体Ｐが載置される天板４ａを備え、天板４ａを、被検体Ｐが載置された状態で、撮像口である傾斜磁場コイル２の空洞内へ挿入する。通常、寝台４は、長手方向が静磁場磁石１の中心軸と平行になるように設置される。寝台制御部５は、寝台４を駆動して、天板４ａを長手方向及び上下方向へ移動する。
【００１２】
送信コイル６は、高周波磁場を発生する。具体的には、送信コイル６は、傾斜磁場コイル２の内側に配置され、送信部７から高周波パルス（以下、ＲＦ（Radio  Frequency）パルス）の供給を受けて、高周波磁場を発生する。送信部７は、シーケンス制御部１０から送信される制御信号に従って、ラーモア周波数に対応するＲＦパルスを送信コイル６に送信する。
【００１３】
受信コイル８は、磁気共鳴信号（以下、ＭＲ（Magnetic  Resonance）信号）を受信する。具体的には、受信コイル８は、傾斜磁場コイル２の内側に配置され、高周波磁場の影響によって被検体Ｐから放射されるＭＲ信号を受信する。また、受信コイル８は、受信したＭＲ信号を受信部９に出力する。
【００１４】
受信部９は、シーケンス制御部１０から送られる制御信号に従って、受信コイル８から出力されたＭＲ信号に基づきＭＲ信号データを生成する。具体的には、受信部９は、受信コイル８から出力されたＭＲ信号をデジタル変換することによってＭＲ信号データを生成し、生成したＭＲ信号データを、シーケンス制御部１０を介して計算機システム２０に送信する。なお、受信部９は、静磁場磁石１や傾斜磁場コイル２などを備える架台装置側に備えられていてもよい。
【００１５】
シーケンス制御部１０は、傾斜磁場電源３、送信部７、及び受信部９を制御する。具体的には、シーケンス制御部１０は、計算機システム２０から送信されたパルスシーケンス実行データに基づく制御信号を、傾斜磁場電源３、送信部７、及び受信部９に送信する。
【００１６】
計算機システム２０は、インタフェース部２１と、画像再構成部２２と、記憶部２３と、入力部２４と、表示部２５と、制御部２６と、視点位置検出部２７とを備える。インタフェース部２１は、シーケンス制御部１０に接続され、シーケンス制御部１０と計算機システム２０との間で送受信されるデータの入出力を制御する。画像再構成部２２は、シーケンス制御部１０から送信されたＭＲ信号データから画像データを再構成し、再構成した画像データを記憶部２３に格納する。
【００１７】
記憶部２３は、撮像条件に含まれるパラメータに設定されたパラメータ値、画像再構成部２２によって格納された画像データや、ＭＲＩ装置１００において用いられるその他のデータを記憶する。例えば、記憶部２３は、ＲＡＭ（Random  Access  Memory）、フラッシュメモリ（flash  memory）などの半導体メモリ素子、ハードディスク、光ディスクなどである。
【００１８】
入力部２４は、撮像条件を編集するための各種指示や撮像指示などを操作者から受け付ける。例えば、入力部２４は、撮像条件に含まれるパラメータに対するパラメータ値の設定指示などを受け付ける。例えば、入力部２４は、マウス、キーボードなどである。表示部２５は、編集画面や画像などを表示する。なお、第１の実施形態に係る表示部２５については後に詳述する。
【００１９】
制御部２６は、上述した各部を制御することによってＭＲＩ装置１００を総括的に制御する。例えば、制御部２６は、撮像条件の編集を操作者から受け付けると、受け付けた撮像条件に基づいてパルスシーケンス実行データを生成し、生成したパルスシーケンス実行データをシーケンス制御部１０に送信する。例えば、制御部２６は、ＡＳＩＣ（Application  Specific  Integrated  Circuit）、ＦＰＧＡ（Field  Programmable  Gate  Array）などの集積回路、ＣＰＵ（Central  Processing  Unit）、ＭＰＵ（Micro  Processing  Unit）などの電子回路である。
【００２０】
視点位置検出部２７は、ＭＲＩ装置１００を操作する操作者の視点位置を検出する。なお、第１の実施形態に係る視点位置検出部２７については後に詳述する。
【００２１】
次に、実施形態に係るＭＲＩ装置１００が備える表示部２５について説明する。図２は、実施形態に係る表示部２５を説明するための図である。実施形態に係る表示部２５は、表示面から放射される角度に応じて異なる画像を表示する。例えば、図２に示すように、表示部２５は、平面状の表示面２００（例えば、液晶パネル）を有し、表示面２００の前面に光線制御子を有する。例えば、光線制御子は、光学開口が垂直方向に延びる垂直レンチキュラーシート２０１である。なお、図２においては、垂直レンチキュラーシート２０１の凸部が前面側となるように貼り付けられているが、垂直レンチキュラーシート２０１の凸部が表示面２００に対向するように貼り付けられてもよい。
【００２２】
また、表示部２５の表示面２００には、図２に示すように、縦横比３：１、縦方向に、赤（Ｒ）、緑（Ｇ）、青（Ｂ）となるように、画素２０２が配置される。また、図２に示すように、表示面２００から放射される角度に応じて異なる画像が表示されるように、１〜９の各列に各画像の画素が配置される。９列分の画素２０２の集合体である画素群２０３は、例えばＬＥＤ（Light  Emitting  Diode）バックライトにより平行光として放射され、更に、垂直レンチキュラーシート２０１により多方向に放射される。この結果、表示部２５は、表示面２００から放射される角度に応じて異なる画像を表示する。なお、１〜９の各列に、同一画像の画素が配置された場合、表示部２５は、表示面２００から放射される全ての角度に、同じ画像を表示する。
【００２３】
なお、図２に示す表示部２５は、一例に過ぎない。表示部２５は、「ＲＲＲ・・・、ＧＧＧ・・・、ＢＢＢ・・・」の横ストライプ液晶に限らず、「ＲＧＢＲＧＢ・・・」の縦ストライプ液晶でもよい。また、表示部２５は、レンチキュラーシートが垂直となる縦レンズ方式に限らず、レンチキュラーシートが斜めとなる斜めレンズ方式でもよい。
【００２４】
続いて、実施形態に係る編集画面の表示制御を説明する。図３は、実施形態に係る編集画面を説明するための図であり、図４は、実施形態に係る編集画面の表示制御を説明するための図である。
【００２５】
上述したように、従来のＭＲＩ装置は、多数のパラメータを複数の編集画面に分類し、編集対象の編集画面を最前面に表示する。なお、以下で用いる「最前面に表示する（又は、最前面表示する）」の意味は、「最前面に表示されているように表示する」の意味である。必ずしも、複数の編集画面を重畳した上で、編集対象の編集画面を最前面に表示するように制御する手法のみを意味するものではない。
【００２６】
例えば、従来のＭＲＩ装置は、図３に示すように、多数のパラメータを、タブ『Ｂａｓｉｃ』の編集画面、タブ『ＳＡＲ（Specific  Absorption  Rate）』の編集画面、及びタブ『Ａｄｖａｎｃｅ』の編集画面に分類する。例えば、タブ『Ｂａｓｉｃ』の編集画面には、撮像条件に含まれる基本的なパラメータが分類される。また、例えば、タブ『ＳＡＲ』の編集画面には、ＳＡＲにより撮像条件が制限された場合に、これを緩和するために変更し得るパラメータが分類される。また、例えば、タブ『Ａｄｖａｎｃｅ』の編集画面には、その他のパラメータが分類される。
【００２７】
例えば、図３は、タブ『Ｂａｓｉｃ』の編集画面が最前面に表示された様子を示す。タブ『Ｂａｓｉｃ』の編集画面には、『スライス数』、『スライス厚』などのパラメータが分類されている。
【００２８】
ここで、実施形態に係るＭＲＩ装置１００は、図４に示すように、表示部２５を観察する操作者の視点位置毎に異なる編集画面を表示する。例えば、図４において、表示部２５を左斜め前から観察する操作者には、タブ『１』の編集画面が最前面に表示され、表示部２５を右斜め前から観察する操作者には、タブ『２』の編集画面が最前面に表示される。言い換えると、操作者は、例えば顔の位置を少し移動させるだけで、タブ『１』の編集画面及びタブ『２』の編集画面の双方を観察することができる。
【００２９】
なお、図４においては、編集画面が表示面上の一部の領域に表示されている例を示すが、実施形態はこれに限られるものではなく、編集画面が表示面上の全領域に表示されている場合にも、同様に適用することができる。
【００３０】
また、実施形態に係るＭＲＩ装置１００は、図４に示すように、表示部２５を観察する操作者の視点位置を検出する視点位置検出部２７を備え、視点位置検出部２７によって検出された視点位置に基づいて、パラメータに対する設定指示を受け付ける。すなわち、実施形態に係るＭＲＩ装置１００は、複数の編集画面を同時に表示することになるので、パラメータに対する設定指示を受け付けた場合、どの編集画面に対する設定指示であるのかを判別することが難しい。そこで、実施形態に係るＭＲＩ装置１００は、操作者の視点位置を検出し、検出した視点位置に基づいて、設定指示を受け付ける編集画面（以下、アクティブタブ）を特定する。
【００３１】
なお、視点位置検出部２７は、公知の技術により実現することが可能である。例えば、視点位置検出部２７は、カメラを有し、モータを駆動させることでカメラの撮影範囲を変えながら撮影を行う。また、視点位置検出部２７は、カメラによって撮影された画像に対して顔認識のパターンマッチングを行い、操作者の顔が描出された画像を特定する。そして、視点位置検出部２７は、特定した画像が撮影された際の表示部２５の表示面に対するカメラの向きに基づいて、視点位置を検出する。
【００３２】
さて、上述した編集画面の表示制御は、制御部２６などによって実現される。図５は、実施形態に係る制御部２６の構成を説明するための図である。図５に示すように、制御部２６は、パラメータ値受付部２６ａと、編集画面表示制御部２６ｂとを備える。
【００３３】
パラメータ値受付部２６ａは、表示部２５に表示された編集画面上で、編集画面に含まれるパラメータに対するパラメータ値の設定指示を受け付ける。具体的には、実施形態に係るパラメータ値受付部２６ａは、編集画面上でパラメータ値の設定指示を受け付けると、受け付けたパラメータ値を記憶部２３に格納するとともに、設定指示を受け付けた旨を編集画面表示制御部２６ｂに通知する。
【００３４】
編集画面表示制御部２６ｂは、操作者の視点位置毎に異なる編集画面が表示されるように、編集画面を表示するための画像データ群を生成し、表示部２５に対する画像データ群の表示を制御する。具体的には、実施形態に係る編集画面表示制御部２６ｂは、パラメータ値の設定指示がパラメータ値受付部２６ａによって受け付けられると、パラメータ値の設定により影響を受ける他のパラメータを含む編集画面を特定する。
【００３５】
次に、編集画面表示制御部２６ｂは、表示中の編集画面の他に、少なくとも特定したこの編集画面が表示されるように、編集画面を表示するための画像データ群を生成する。例えば、編集画面表示制御部２６ｂは、表示中の編集画面を表示するための画像データと、特定した編集画面を表示するための画像データとを生成し、各編集画面が表示部２５の表示面から放射される角度に応じて表示されるように、各編集画面に対応する画像データの画素の配置を調整する。例えば、編集画面表示制御部２６ｂは、図２を用いて説明した１〜９列のうち、ある角度の範囲に放射される画素が配置される列に、表示中の編集画面を表示するための画像データの画素を配置し、別の角度の範囲に放射される画素が配置される列に、特定した編集画面を表示するための画像データの画素を配置する。
【００３６】
なお、図４に示したように、編集画面が表示面上の一部の領域に表示される場合、表示面上の他の領域は、表示面から放射される全ての角度に同じ画像を表示すればよい。この場合、上述したように、例えば、表示部２５における１〜９の各列に、同一画像の画素が配置される。
【００３７】
図６は、実施形態に係る表示制御の処理手順を説明するための図である。なお、以下の説明において、ある角度の範囲を『表示エリア１』と表現し、別の角度の範囲を『表示エリア２』と表現する。
【００３８】
図６に示すように、実施形態に係る編集画面表示制御部２６ｂは、『表示エリア１』にタブｘを最前面表示し、『表示エリア２』に、タブｘとは異なるタブｙを最前面表示する（ステップＳ１０１）。例えば、一例として、編集画面表示制御部２６ｂは、『表示エリア１』にタブ『１』を最前面表示し、『表示エリア２』にタブ『３』を最前面表示する。
【００３９】
次に、編集画面表示制御部２６ｂは、パラメータ値の設定指示がパラメータ値受付部２６ａによって受け付けられたか否かを判定し（ステップＳ１０２）、受け付けられたと判定すると（ステップＳ１０２肯定）、操作者の視点位置に基づいてアクティブタブを特定する（ステップＳ１０３）。
【００４０】
すなわち、編集画面表示制御部２６ｂは、視点位置検出部２７によって検出された視点位置に基づいて、表示部２５の表示面に対する視点位置すなわち角度を検出し、設定指示を受け付ける編集画面であるアクティブタブを特定する。例えば、編集画面表示制御部２６ｂは、検出された視点位置が『表示エリア１』に対応する角度の範囲内である場合、アクティブタブとしてタブ『１』を特定する。
【００４１】
続いて、編集画面表示制御部２６ｂは、パラメータ値を計算する（ステップＳ１０４）。すなわち、ＭＲＩ装置１００の場合、あるパラメータに対して行われたパラメータ値の設定が、１つ又は複数の他のパラメータに影響を及ぼすことがある。このため、編集画面表示制御部２６ｂは、ステップＳ１０２において受け付けられた設定指示により影響を受け得る他のパラメータのパラメータ値を計算する。
【００４２】
なお、編集画面表示制御部２６ｂは、既存のアルゴリズムを用いた計算処理を行う。撮像条件に含まれるパラメータは多数、かつ、パラメータ間の影響関係は複雑である。既存のアルゴリズムは、相互に影響し合うパラメータ群として予め特定されたパラメータ群について、あるパラメータのパラメータ値が変更された場合に他のパラメータ値を計算するための計算式として予め生成されたものである。なお、パラメータは多数であるので、一般に、既存のアルゴリズムは、複数の計算式を含む。
【００４３】
そして、編集画面表示制御部２６ｂは、計算の結果、影響を受ける他のパラメータが存在する場合には、この影響を受ける他のパラメータが属する編集画面を特定する（ステップＳ１０５）。例えば、編集画面表示制御部２６ｂは、影響を受ける他のパラメータが属する編集画面としてタブ『２』を特定する。
【００４４】
その後、編集画面表示制御部２６ｂは、非アクティブタブを表示する表示エリアに、ステップＳ１０５において特定した編集画面が最前面となるように表示する（ステップＳ１０６）。例えば、アクティブタブがタブ『１』の場合、非アクティブタブはタブ『３』であり、タブ『３』を表示する表示エリアは『表示エリア２』である。そこで、編集画面表示制御部２６ｂは、『表示エリア２』に、ステップＳ１０５において特定したタブ『２』を最前面表示する。
【００４５】
（実施形態の効果）
上述したように、実施形態に係るＭＲＩ装置１００は、表示部２５の表示面から放射される角度に応じて異なる編集画面を表示するので、編集画面を適切に表示することができる。例えば、操作者は、編集画面を切り替えるための操作をせずに、顔の位置を移動させるだけで複数の編集画面を観察することができ、操作の効率化を図ることができる。
【００４６】
また、実施形態に係るＭＲＩ装置１００は、角度に応じて異なる編集画面を表示するだけでなく、編集内容に応じて最適な編集画面が選択されて表示されるように制御する。具体的には、実施形態に係るＭＲＩ装置１００は、あるパラメータ値の設定により影響を受ける他のパラメータを含む編集画面を特定し、表示中の編集画面の他に、少なくとも特定した編集画面が表示されるように制御する。
【００４７】
例えば、ＭＲＩ装置１００は、タブ『Ｂａｓｉｃ』の編集画面に含まれるパラメータ『スライス数』のパラメータ値を増やす設定指示を受け付けると、パラメータ値の計算を行い、影響を受けるパラメータが、タブ『ＳＡＲ』の編集画面に含まれるパラメータであることを特定する。そして、ＭＲＩ装置１００は、タブ『Ｂａｓｉｃ』の編集画面の他に、タブ『ＳＡＲ』の編集画面が表示されるように、編集画面を表示するための画像データ群を生成し、生成した画像データ群の表示を制御する。
【００４８】
このようなことから、例えば、操作者は、編集画面を切り替えるための操作をせずに、顔の位置を移動させるだけで、あるパラメータ値の設定により影響を受けたパラメータを確認することができ、操作の効率化を図ることができる。
【００４９】
また、実施形態に係るＭＲＩ装置１００は、視点位置に基づいて、パラメータ値の設定指示を受け付ける編集画面を特定することができる。
【００５０】
（その他の実施形態）
なお、実施形態は、上述した実施形態に限られるものではない。
【００５１】
例えば、上述した実施形態においては、編集内容に応じて最適な編集画面を選択する表示制御を行ったが、必ずしも必須の制御ではない。例えば、表示可能な編集画面の数と、全ての編集画面の数とが一致する場合は、常に全ての編集画面をそれぞれ表示すればよい。
【００５２】
また、上述した実施形態においては、視点位置検出部が操作者の視点位置を検出し、アクティブタブを特定する手法を説明したが、アクティブタブを特定する手法はこれに限られるものではない。例えば、編集画面上に、マウス操作と連動する矢印を表示すればよい。この場合、パラメータ値受付部２６ａは、矢印が表示されている側の編集画面をアクティブタブとして特定する。例えば、操作者がマウスを操作することで、矢印が編集画面を飛び出した場合に、例えば隣に表示されている編集画面に矢印が表示されるようになり、この隣に表示されている編集画面がアクティブタブとなるように制御してもよい。
【００５３】
また、図７は、その他の実施形態に係る編集画面の表示制御を説明するための図である。上述した実施形態においては、表示可能な編集画面の数が『２』の場合を説明したが、実施形態はこれに限られるものではなく、例えば、図７に示すように、表示可能な編集画面の数が『３』の場合にも、同様に適用することができる。他の数の場合も同様である。
【００５４】
また、上述した実施形態においては、ＭＲＩ装置１００が備える計算機システム２０における制御として説明したが、実施形態はこれに限られるものではない。他の医用画像診断装置が備える計算機システムや、例えば、ＰＡＣＳ（Picture  Archiving  and  Communication  System）上のワークステーションや端末装置などに適用されてもよい。この場合、ワークステーションや端末装置は、制御部２６と同様の機能を有する。
【００５５】
また、上述した実施形態においては、「編集画面」を想定して説明したが、実施形態はこれに限られるものではない。例えば、その他の実施形態に係る画像処理装置は、表示部と、表示制御部と、受付部とを備える。表示部は、表示部２５と同様、表示面から放射される角度に応じて異なる画像を表示する。表示制御部は、「操作画面」が複数存在する場合に、異なる「操作画面」が角度に応じて表示されるように画像データ群を生成し、表示部に対する画像データ群の表示を制御する。受付部は、表示部に表示された「操作画面」上で、操作指示を受け付ける。なお、ここでいう「操作画面」は、画像処理装置に表示される画面全般を含み、操作指示を直接受け付ける画面に限られず、例えば、画像処理装置を操作する際に参照される情報を表示する画面も含む。また、この場合、画像処理装置は、医用画像を処理する装置に限られず、汎用的なコンピュータであってもよい。
【００５６】
以上述べた少なくとも一つの実施形態の医用画像診断装置及び画像処理装置によれば、操作画面を適切に表示することができる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１００  ＭＲＩ装置
２６  制御部
２６ａ  パラメータ値受付部
２６ｂ  編集画面表示制御部
２７  視点位置検出部
【図１】
0005931373.tif 000002
【図２】
0005931373.tif 000003
【図３】
0005931373.tif 000004
【図４】
0005931373.tif 000005
【図５】
0005931373.tif 000006
【図６】
0005931373.tif 000007
【図７】
0005931373.tif 000008